(57)【要約】【課題】先端側部分や中間部分をしならせながら、清掃ヘッドの底面を被清掃面に押し付ける位置を調整しつつ被清掃面を清掃することが可能な清掃ヘッドを提供する。【解決手段】清掃具１１の柄部１２の一端部に連設され、交換可能に装着した清掃部材１３を柄部１２からの押圧力によって被清掃面に押し付けながら清掃作業を行えるようにする清掃ヘッド１０であって、幅方向中央部分に長手方向に延設する隆起補強部１４が形成された縦長薄板状部１５を備えており、隆起補強部１４は、縦長薄板状部１５の柄部１２との連設基端部１０ａ側から先端１０ｂ側に向けて、幅を滑らかに連続して減少させた形状で形成されていることにより、連設基端部１０ａ側から先端１０ｂ側に向けて縦長薄板状部１５のしなり易さを徐々に増大させている。縦長薄板状部１５は、隆起補強部１４の先端よりもさらに先端１０ｂ側に延設する、先端側平板状部分１５ａを備えている。【選択図】図１
2014068768.tif 000002
【特許請求の範囲】
【請求項１】
清掃具の柄部の一端部に連設され、交換可能に装着した清掃部材を柄部からの押圧力によって被清掃面に押し付けながら清掃作業を行えるようにする清掃ヘッドであって、
幅方向中央部分に長手方向に延設する隆起補強部が形成された縦長薄板状部を備えており、前記隆起補強部は、前記縦長薄板状部の前記柄部との連設基端部側から先端側に向けて、幅を減少させた形状で形成されている清掃ヘッド。
【請求項２】
前記隆起補強部は、前記縦長薄板状部の前記柄部との連設基端部側から先端側に向けて、幅を滑らかに連続して減少させた形状で形成されている請求項１記載の清掃ヘッド。
【請求項３】
前記縦長薄板状部は、前記隆起補強部の先端よりもさらに先端側に延設する、先端側平板状部分を備えている請求項１又は２記載の清掃ヘッド。
【請求項４】
前記隆起補強部は、厚肉隆起補強部となっている請求項１〜３の何れか１項に記載の清掃ヘッド。
【請求項５】
前記隆起補強部は、内側が中空となった中空隆起補強部となっている請求項１〜３の何れか１項に記載の清掃ヘッド。
【請求項６】
前記縦長薄板状部は、前記連設基端部側の広幅平面形状部分と、該広幅平面形状部分から両側の側辺部の段差部を介して先端側に延設する細幅平面形状部分とからなる請求項１〜５の何れか１項に記載の清掃ヘッド。
【発明の詳細な説明】
【技術分野】
【０００１】
本発明は、清掃ヘッドに関し、特に、交換可能に装着した清掃部材を柄部からの押圧力によって被清掃面に押し付けながら清掃作業を行えるようにする清掃ヘッドに関する。
【背景技術】
【０００２】
例えば不織布等からなる使い捨て用の清掃シートや、清掃布、モップ等の清掃部材を、例えば合成樹脂製の清掃ヘッドに着脱交換可能に取り付けて用いるハンディモップ等の清掃具が知られている（例えば、特許文献１、特許文献２参照）。これらの清掃具によれば、清掃シート等を廃棄したり、洗い直して繰り返し用いながら、例えば家庭内において簡便且つ手軽に清掃を行うことが可能になる。
【０００３】
また、特許文献２の清掃具では、清掃体ホルダーの保持部（清掃ヘッド）を、ハンドル部（柄部）と保持部との接続部や保持部の根元部分を支点として、当該保持部の延在方向と交差する第１の方向とこの第１の方向と交差する第２の方向との少なくとも２方向に撓み変位可能として、撓み方向の自由度を付与することができるようになっている。
【先行技術文献】
【特許文献】
【０００４】
【特許文献１】特許２００３−２６５３９０号公報
【特許文献２】特許２０１０−２６８９７５号公報
【発明の概要】
【発明が解決しようとする課題】
【０００５】
一方、柄部の端部に清掃ヘッドが連設された清掃具では、例えば平坦な床面等の被清掃面に対して清掃作業を行う際に、清掃部材が装着された清掃ヘッドは、その底面の全体を被清掃面と平行に配置して当該被清掃面に沿わせながら用いる他、長手方向に斜めに傾けた状態で、先端側から被清掃面に押し付けて用いることが好ましい場合がある。
【０００６】
清掃ヘッドを先端側から被清掃面に押し付けて用いる際に、清掃ヘッドからの押付け力に抗して被清掃面から清掃ヘッドに負荷される反力による曲げ荷重（モーメント力）は、被清掃面に押し付けた先端側部分で小さく、先端側部分から離れた、柄部との連設基端部である根元側部分で大きくなることから、清掃ヘッドが全長又は略全長に亘って同様のしなり易さで形成されていると、清掃ヘッドは、曲げ荷重が大きくなる連設基端部を支点として撓んだりしなったりし易くなる。このため、先端側部分のみをしならせて被清掃面に押し付けたり、先端側部分と連設基端部側部分との間の中間部分をしならせて被清掃面に押し付けたりしながら、柄部からの押圧力による被清掃面への押付け力を増減することで、傾けた清掃ヘッドの底面を被清掃面に押し付ける位置を調整しつつ被清掃面を清掃することは困難である。
【０００７】
本発明は、柄部からの押圧力による被清掃面への押付け力を増減することで、先端側部分のみをしならせて被清掃面に押し付けたり、先端側部分と連設基端部側部分との間の中間部分をしならせて被清掃面に押し付けたりしながら、傾けた清掃ヘッドの底面を被清掃面に押し付ける位置を容易に調整しつつ被清掃面を清掃することのできる清掃ヘッドを提供することを目的とする。
【課題を解決するための手段】
【０００８】
本発明は、清掃具の柄部の一端部に連設され、交換可能に装着した清掃部材を柄部からの押圧力によって被清掃面に押し付けながら清掃作業を行えるようにする清掃ヘッドであって、幅方向中央部分に長手方向に延設する隆起補強部が形成された縦長薄板状部を備えており、前記隆起補強部は、前記縦長薄板状部の前記柄部との連設基端部側から先端側に向けて、幅を減少させた形状で形成されていることにより、連設基端部側から先端側に向けて前記縦長薄板状部のしなり易さを徐々に増大させている清掃ヘッドを提供することによって、上記目的を達成したものである。
【発明の効果】
【０００９】
本発明の清掃ヘッドによれば、柄部からの押圧力による被清掃面への押付け力を増減することで、先端側部分のみをしならせて被清掃面に押し付けたり、先端側部分と連設基端部側部分との間の中間部分をしならせて被清掃面に押し付けたりしながら、傾けた清掃ヘッドの底面を被清掃面に押し付ける位置を容易に調整しつつ被清掃面を清掃することができる。
【図面の簡単な説明】
【００１０】
【図１】本発明の好ましい一実施形態に係る清掃ヘッドを示す斜視図である。
【図２】本発明の好ましい一実施形態に係る清掃ヘッドを柄部の端部に連設した清掃具、及び清掃部材を説明する斜視図である。
【図３】本発明の好ましい一実施形態に係る清掃ヘッドを柄部の端部に連設した清掃具の要部縦断面図である。
【図４】図１のＡ−Ａに沿った清掃ヘッドの端面図である。
【図５】本発明の好ましい一実施形態に係る清掃ヘッドを柄部の端部に連設した清掃具の要部底面図である。
【図６】清掃ヘッドの他の形態を例示する端面図である（図４相当）。
【発明を実施するための形態】
【００１１】
図１に示す本発明の好ましい一実施形態に係る清掃ヘッド１０は、例えば図２に示すように、掃除具１１の柄部１２の一端部に連設されて、柄部１２と共にハンディタイプの掃除具１１を構成するものであり、例えば表裏一対の不織布からなる清掃シート１３ａを所定の箇所でシール止めして形成された袋状の清掃部材１３を、着脱交換可能に装着して用いられる。掃除具１１は、柄部１２を手で把持して、清掃部材１３が装着された清掃ヘッド１０を床面等の被清掃面に接触させたり押し付けたりすることで、被清掃面に付着したごみ、ほこり、汚れ等を清掃部材１３によって捕集する。本実施形態では、清掃ヘッド１０の縦長薄板状部１５が、清掃ヘッド１０の柄部１２との連設基端部１０ａ側から先端１０ｂ側に向けて、しなり易さを徐々に増大させた形状を備えていることにより、しなり易い先端側部分のみの底面を押し付けたり、先端１０ｂ側部分と連設基端部１０ａ側部分との間の中間部分を被清掃面に押し付けたりして、清掃ヘッド１０の底面を被清掃面に押し付ける位置を任意に調整しながら、被清掃面を清掃できるようになっている。
【００１２】
そして、本実施形態の清掃ヘッド１０は、清掃具１１の柄部１２の一端部に連設され、交換可能に装着した清掃部材１３を柄部１２からの押圧力によって被清掃面に押し付けながら清掃作業を行えるようにする清掃具１１のヘッド部であって、幅方向中央部分に長手方向に延設する隆起補強部１４が形成された縦長薄板状部１５を備えており、隆起補強部１４は、縦長薄板状部１５の柄部１２との連設基端部１０ａ側から先端１０ｂ側に向けて、幅を、好ましくは滑らかに連続して減少させた形状で形成されていることにより、連設基端部１０ａ側から先端１０ｂ側に向けて縦長薄板状部１５のしなり易さを徐々に増大させている。
【００１３】
また、本実施形態では、縦長薄板状部１５は、隆起補強部１４の先端よりもさらに清掃ヘッド１０の先端１０ｂ側に延設する、先端側平板状部分１５ａを備えている。
【００１４】
本実施形態では、清掃具１１の柄部１２は、例えばポリプロピレン、ポリアセタール、ポリカーボネート、ＡＢＳ等からなる合成樹脂製の成形品、もしくはアルミ、真鍮などの金属加工品であって、例えば１００〜３００ｍｍ程度の長さを有する一対のロッド部材１２ａ，１２ｂからなる。柄部１２は、一方のロッド部材１２ａを他方のロッド部材１２ｂの中空内部に挿入して、所定の重なり長さを保持した状態で用いられる。一方のロッド部材１２ａに設けられた係止頭部１６ａを、他方のロッド部材１２ｂに２箇所に形成された係止穴１６ｂに選択的に係止することで、柄部１２の長さを、収縮状態と伸長状態とに、２段階に変化させることができるようになっている。
【００１５】
一方のロッド部材１２ａの、他方のロッド部材１２ｂに挿入される側とは反対側の端部には、柄側連結部１７ａが設けられている。この柄側連結部１７ａに、例えば特開２００７−１６７４２５号公報に記載される連結部の構造と同様の連結構造により、清掃ヘッド１０に設けられたヘッド側連結部１７ｂが連結されることで、清掃ヘッド１０が、柄部１２の一端部に連設して、強固に且つ安定した状態で取り付けられる。また、柄側連結部１７ａの上面から上方に突出して、係着突起１８ａが設けられている。この係着突起１８ａに、清掃部材１３の係着穴１８ｂが係着されることで、清掃部材１３が清掃具１１に装着された状態を、容易に保持することが可能になる。
【００１６】
清掃ヘッド１０は、本実施形態では、例えばポリプロピレン、ポリエチレン等の合成樹脂による成形品であって、全体として例えば１００〜２００ｍｍ程度の長さを有するように形成されている。清掃ヘッド１０は、縦長の薄板形状の部分である縦長薄板状部１５と、縦長薄板状部１５の端部に連続して設けられた、清掃ヘッド１０の柄部１２との連設基端部１０ａを形成するヘッド側連結部１７ｂとからなる。上述のように、ヘッド側連結部１７ｂを、柄部１２の一方のロッド部材１２ａに設けられた柄側連結部１７ａに連結することで、清掃ヘッド１０が柄部１２に一体として取り付けられる。
【００１７】
また、本実施形態では、縦長薄板状部１５は、図５にも示すように、縦長の平面形状として、清掃ヘッド１０の柄部１２との連設基端部１０ａであるヘッド側連結部１７ｂから、両側の側辺部を湾曲させながら延設して、縦長薄板状部１５の長さの３／５程度の長さ領域を占める、例えば２０〜１００ｍｍ程度の幅を有する連設基端部１０ａ側の広幅平面形状部分１９ａと、広幅平面形状部分１９ａから両側の側辺部の段差部１９ｃを介して清掃ヘッド１０の先端１０ｂ側に延設する、例えば２０〜１００ｍｍ程度の幅を有する細幅平面形状部分１９ｂとからなる。清掃ヘッド１０の先端部でもある縦長薄板状部１５の細幅平面形状部分１９ｂの先端部は、半円形状に湾曲して形成されている。
【００１８】
なお、広幅平面形状部分１９ａと細幅平面形状部分１９ｂとの間に形成された両側の側辺部の段差部１９ｃは、清掃部材１３が清掃ヘッド１０に装着された際に、清掃部材１３の袋状部の内部に形成されている両側の中間当接部１３ｂ（図２参照）に各々当接することにより、係着穴１８ｂを係着突起１８ａに係着することと相俟って、清掃部材１３を清掃具１１に、さらに安定した状態で保持できるようにする。これによって、縦長薄板状部１５をしならせながら清掃したときに、清掃部材１３が清掃具１１の清掃ヘッド１０からずれ難くなり、確実に清掃することが可能になる。縦長薄板状部１５は、段差部１９ｃを介在させた広幅平面形状部分１９ａと細幅平面形状部分１９ｂとを備える必要は必ずしもなく、略全長に亘って同様の幅を備えていても良い。
【００１９】
そして、本実施形態では、清掃ヘッド１０の縦長薄板状部１５には、その上面の幅方向中央部分に、長手方向に延設する隆起補強部１４が形成されている。隆起補強部１４は、本実施形態では、図３〜図５に示すように、内側が中空となった中空隆起補強部となっており、且つ滑らかな円弧断面形状を備えるように形成されている（図３、図４参照）。また、中空隆起補強部１４は、柄部１２との連設基端部１０ａであるヘッド側連結部１７ｂから、広幅平面形状部分１９ａを超えて、細幅平面形状部分１９ｂに僅かに食い込む領域まで、先端１０ｂ側に向けて、縦長の２等辺三角形の平面形状を備えるように形成されている（図５参照）。これによって、中空隆起補強部１４は、その幅を減少させていない部分を介在させることなく、好ましくはその幅を直線状に滑らかに連続して減少させながら、先端１０ｂ側に向けて延設する形状で形成されていると共に、幅の減少に伴って、高さもまた、ヘッド側連結部１７ｂから先端１０ｂ側に向けて、好ましくは直線状に滑らかに連続して減少させた形状で形成されている（図３参照）。
【００２０】
これらによって、本実施形態では、中空隆起補強部１４が形成された部分の縦長薄板状部１５の断面剛性が、ヘッド側連結部１７ｂ（連設基端部１０ａ）側から先端１０ｂ側に向けて滑らかに連続して減少するようになっていることで、連設基端部１０ａ側から先端１０ｂ側に向けて、縦長薄板状部１６のしなり易さを徐々に増大させている。
【００２１】
また、本実施形態では、縦長薄板状部１５における、中空隆起補強部１４が形成された部分の当該中空隆起補強部１４の両側部分は、例えば０．５〜２ｍｍ程度の厚さの、薄板状の側部平板状部分１５ｂとなっている。側部平板状部分１５ｂの先端部は、細幅平面形状部分１９ｂの略全体の領域を占める先端側平板状部分１５ａと連続しており、先端側平板状部分１５ａもまた、側部平板状部分１５ｂと同様の例えば０．５〜２ｍｍ程度の厚さを備えている。本実施形態では、中空隆起補強部１４もまた、先端側平板状部分１５ａや側部平板状部分１５ｂと同様の、例えば１〜１．５ｍｍ程度の厚さで形成されている。中空隆起補強部１４は、断面視して外側に凸となった湾曲面形状から、内側に凸となる湾曲面に反転した周縁部を介して、両側の側部平板状部分１５ｂと接続している（図４参照）。
【００２２】
本実施形態では、さらに、図３及び図５に示すように、縦長薄板状部１５の底面における、段差部１９ｃと近接する領域の中空隆起補強部１４の両側の側部平板状部分１５ｂには、長手方向に列状に連設配置されて、高さの低い複数の点状リブ２０ａが、下方に突出して設けられている。また先端側平板状部分１５ａには、幅方向に延設する複数の浅溝２０ｂが、長手方向に間隔をおいて平行に配置されて設けられている。
【００２３】
縦長薄板状部１５の側部平板状部分１５ｂの底面に、高さの低い複数の点状リブ２０ａが設けられていることにより、取り付けた清掃部材１３の清掃シート１３ａが点状リブ２０ａに引っ掛かることで、使用中に清掃部材１３がずれたり、外れたりすることを防ぐことが可能になる。また縦長薄板状部１５の先端側平板状部分１５ａの底面に、複数の浅溝２０ｂが設けられていることにより、浅溝２０ｂの肉厚が薄くなることで、先端１０ｂ側部分が、よりしなり易くなって、清掃対象物に追従した清掃が可能になる。
【００２４】
そして、上述の構成を備える本実施形態の清掃ヘッド１０によれば、清掃具１１の柄部１２に取り付けて用いられて、柄部１２からの押圧力による被清掃面への押付け力を増減することで、先端１０ｂ側部分のみをしならせて被清掃面に押し付けたり、先端１０ｂ側部分と連設基端部１０ａ側部分との間の中間部分をしならせて被清掃面に押し付けたりしながら、傾けた清掃ヘッド１０の底面を被清掃面に押し付ける位置を容易に調整しつつ被清掃面を清掃することが可能になる。
【００２５】
すなわち、本実施形態によれば、清掃ヘッド１０の縦長薄板状部１５には、幅方向中央部分に長手方向に延設する隆起補強部１４が形成されており、隆起補強部１４は、縦長薄板状部１５の柄部１２との連設基端部１０ａ側から先端１０ｂ側に向けて、幅を好ましくは滑らかに連続して減少させた形状で形成されていて、隆起補強部１４が形成された部分の縦長薄板状部１５の断面剛性が、ヘッド側連結部１７ｂ（連設基端部１０ａ）側から先端１０ｂ側に向けて滑らかに連続して減少するようになっている。
【００２６】
これによって、縦長薄板状部１５は、連設基端部１０ａ側から先端１０ｂ側に向けて、しなり易さを徐々に増大させているので、先端１０ｂ側部分のみを被清掃面に押し付けたり、先端１０ｂ側部分と連設基端部１０ａ側部分との間の中間部分を被清掃面に押し付けた際に、柄部１２との連設基端部１０ａを支点として縦長薄板状部１５の全体をしならせることなく、しなり難くなっている連設基端部１０ａ側部分を介して柄部１２からの押圧力を効率良く負荷させながら、しなり易くなっている先端１０ｂ側部分のみをしならせたり、先端１０ｂ側部分と連設基端部１０ａ側部分との間の中間部分をしならせたりして、傾けた清掃ヘッド１０の縦長薄板状部１５の底面を被清掃面に押し付ける位置を容易に調整しつつ、被清掃面を清掃することが可能になる。
【００２７】
また、本実施形態によれば、縦長薄板状部１５には、隆起補強部１４の先端よりもさらに清掃ヘッド１０の先端１０ｂ側に延設して、しなり易い薄板状の先端側平板状部分１５ａを備えているので、先端１０ｂ側部分のみをしならせて被清掃面に押し付けて行う清掃作業を、さらに容易に行うことが可能になると共に、清掃作業中に清掃ヘッド１０の縦長薄板状部１５の先端が壁等に衝突した場合でも、衝突による衝撃力を効果的に緩和して、例えば衝撃力が柄部１２に伝わって、例えば伸長状態で使用していた柄部１２が縮むことになるのを、効果的に回避することが可能になる。
【００２８】
さらに、本実施形態によれば、隆起補強部１４は、好ましくは先端側平板状部分１５ａや側部平板状部分１５ｂと同様の厚さを有する、内側が中空となった中空隆起補強部となっているので、縦長薄板状部１６の全体を薄肉に成形することが可能になると共に、軽量化や、成形効率の向上を図ることが可能になる。
【００２９】
なお、本発明は上記実施形態に限定されることなく種々の変更が可能である。例えば、隆起補強部は、内側が中空となった中空隆起補強部となっている必要は必ずしもなく、図６に示すように、厚さの大きな中実の厚肉隆起補強部となっていても良い。また、隆起補強部は、円弧断面形状を備えている必要は必ずしも無く、台形断面形状や矩形断面形状等の、その他の種々の断面形状を備えていても良い。さらに、隆起補強部は、幅の減少に伴って高さも減少させる形状に形成されている必要は必ずしも無く、幅のみを減少させて形成されていても良い。さらにまた、隆起補強部は、幅を直線状に連続して減少させる形状に形成されている必要は必ずしも無く、平面視した際の両側の側辺部を湾曲させながら、幅を先端側に向けて連続して減少させるものであっても良い。隆起補強部は、先端の幅がなくなるまで、先端部を鋭角に尖らせて形成する必要は必ずしもなく、例えば先端部を縦長薄板状部の幅方向の面で平坦に、又は曲面状に面取りした形状を有していても良い。また、隆起補強部は、幅を連続して減少させる形状に形成されている必要は必ずしも無く、幅の減少していない部分を有していても良い。
【符号の説明】
【００３０】
１０  清掃ヘッド
１０ａ  連設基端部
１０ｂ  先端
１１  清掃具
１２  柄部
１３  清掃部材
１３ａ  清掃シート
１４  中空隆起補強部（隆起補強部）
１５  縦長薄板状部
１５ａ  先端側平板状部分
１５ｂ  側部平板状部分
１７ａ  柄側連結部
１７ｂ  ヘッド側連結部
１９ａ  広幅平面形状部分
１９ｂ  細幅平面形状部分
１９ｃ  段差部
２０ａ  点状リブ
２０ｂ  浅溝
【図２】
2014068768.tif 000003
【図３】
2014068768.tif 000004
【図４】
2014068768.tif 000005
【図５】
2014068768.tif 000006
【図６】
2014068768.tif 000007
【図１】
2014068768.tif 000008